(57)【要約】【課題】実質的な機能の他に、画像情報機器などを組み込んで楽しめるようにした、ベッド用テーブル装置を提案する。【解決手段】一対の脚部４と、これら脚部４にそれぞれ立設した支柱部５と、これら支柱部５上部側間にテーブル板６を配設して、このテーブル板６に画像情報機器７におけるモニター７ａを配設する。この画像情報機器７は、本体７ｂとモニター７ａが分離可能な構成のもので、前記本体７ｂを室内壁面Ｗに配置することができる。また前記テーブル板６には、前記画像情報機器７における電源としての電池８を配設する。なお、前記画像情報機器７における電源としては、ベッド装置２からの電力を無線で供給する非接触型電源装置９を設けることもできる。【選択図】              図１
2004275417.tif 000002
【特許請求の範囲】
【請求項１】
脚部と、この脚部に立設した支柱部と、この支柱部上部に支持したテーブル板とを有し、このテーブル板に画像情報機器におけるモニターを搭載する構成としたことを特徴とするベッド用テーブル装置。
【請求項２】
一対の脚部と、これら脚部にそれぞれ立設した支柱部と、これら支柱部上部側間に支持したテーブル板とを有し、このテーブル板に画像情報機器におけるモニターを搭載する構成としたことを特徴とするベッド用テーブル装置。
【請求項３】
前記画像情報機器における本体を、前記モニターとは分離して室内壁面に配置してなることを特徴とする請求項１または２記載のベッド用テーブル装置。
【請求項４】
前記画像情報機器における本体を、前記モニターとは分離してベット装置側に配置してなることを特徴とする請求項１または２記載のベッド用テーブル装置。
【請求項５】
前記画像情報機器における電源は、前記脚部、支柱部またはテーブル板の適所に配設した電池であることを特徴とする請求項１ないし４記載のうち、いずれか１記載のベッド用テーブル装置。
【請求項６】
前記画像情報機器における電源は、ベッド本体からの電力を非接触で供給する構成としたことを特徴とする請求項１ないし４記載のうち、いずれか１記載のベッド用テーブル装置。
【発明の詳細な説明】
【０００１】
【発明の属する技術分野】
本発明は、実質的な機能の他に、画像情報機器などを組み込んで楽しめるようにした、ベッド用テーブル装置に関するものである。
【０００２】
【従来の技術】
従来より、病院においても家庭内においても、ベッド装置の傍らに寄せて使ったり、床部上方にテーブル板を跨いで使う、テーブル装置がある。
これらテーブル装置はベッド生活上、食事台として、あるいは読書台として、その他、身の回りの小物類を置いたりするのに大変有用な備品のうちの一つとなっている。
かかるテーブル装置のうち、床部上方にテーブル板を跨いで使うオーバーベッドテーブルとしては、特開平７−２６５１３４号公報で開示されるようなものが提案されている。
【０００３】
【発明が解決しようとする課題】
しかしながら、ベッド生活が長くなると、上述のような日常の実質的な機能の他に、テレビ、パソコンなどのＡＶ機器類をベッド用テーブル装置に搭載するようにして、手軽に放送、ゲーム、インターネットを楽しみたいという、要望も出てくる。
本発明は、このような背景から提案されたものであって、実質的な機能の他に、画像情報機器などを組み込んで楽しめるようにした、ベッド用テーブル装置を提供することを目的とする。
【０００４】
【課題を解決するための手段】
前記した課題を解決するために、本発明では、請求項１において、脚部と、この脚部に立設した支柱部と、この支柱部上部に支持したテーブル板とを有し、このテーブル板に画像情報機器におけるモニターを搭載する構成としたベッド用テーブル装置を提案する。
また本発明では、請求項２において、一対の脚部と、これら脚部にそれぞれ立設した支柱部と、これら支柱部上部側間に支持したテーブル板とを有し、このテーブル板に画像情報機器におけるモニターを搭載する構成としたベッド用テーブル装置を提案する。
また本発明では、請求項３において、前記画像情報機器における本体を、前記モニターとは分離して室内壁面に配置してなるベッド用テーブル装置を提案する。
また本発明では、請求項４において、前記画像情報機器における本体を、前記モニターとは分離してベット装置側に配置してなるベッド用テーブル装置を提案する。
また本発明では、請求項５において、前記画像情報機器における電源は、前記脚部、支柱部またはテーブル板の適所に配設した電池であるベッド用テーブル装置を提案する。
さらに本発明では、請求項６において、前記画像情報機器における電源は、ベッド本体からの電力を非接触で供給する構成としたベッド用テーブル装置を提案する。
【０００５】
請求項１、２によれば、使用者は、ベッド用テーブル装置本来の実質的な機能の他、テーブル板におけるモニターを介して、様々な画像情報、ゲームなどの提供を受けることができる。
【０００６】
請求項３によれば、重量の大きい画像情報機器における本体を、室内壁面に配置することで、ベッド用テーブル装置にかかる負担は軽減され、さらにアンテナ線などの配線も不要となる。
【０００７】
請求項４によれば、重量の大きい画像情報機器における本体を、ベッド装置側に搭載することで、ベッド用テーブル装置側にかかる重量負担の軽減と共に省スペース化を図ることができる。
【０００８】
請求項５によれば、壁面のコンセント等から離れた箇所に配置しているベッド装置においてもベッド用テーブル装置を使用することができ、また、ベッド用テーブル装置を移動する際の妨げとなることはない。
【０００９】
請求項６によれば、ベッド装置以外に、電力を供給するコードを配線する必要はない。
【００１０】
【発明の実施の形態】
以下、本発明にかかるベッド用テーブル装置につき、一つの実施の形態を挙げ、添付の図面に基づいて説明する。
図１、図２にベッド用テーブル装置のうち、ベッド装置２の床部３上にテーブル板（後述）を跨らせて使うオーバーベッドテーブル１を示す。
このオーバーベッドテーブル１は、一対の脚部４と、これら脚部４にそれぞれ立設した支柱部５と、これら支柱部５上部側間にテーブル板６を配設して、このテーブル板６には画像情報機器７におけるモニター７ａを配設する構成としている。この画像情報機器７は、本体（後述）とモニター７ａが分離可能な構成のもので、例えば市販のデジタル信号伝送方式の機器を用いることができる。すなわち、前記画像情報機器７における本体７ｂは、室内壁面Ｗに配置している。
そして前記テーブル板６には、前記画像情報機器７における電源としての電池８を配設することができる。
なお、前記画像情報機器７における電源としては、ベッド装置２からの電力を無線で供給する非接触型電源装置（後述）を設けることもできる。
【００１１】
ここで、前記画像情報機器７について、以下説明する。すなわち前記テーブル板６の上面中央箇所には、画像情報機器７におけるモニター７ａを起伏可能に設けている。かかるモニター７ａは、非使用時には、前記テーブル板６内に格納して、テーブル板６上面をフラットな面とし、通常のテーブルとして、食事台、あるいは小物置き台として使用可能としている。
前記画像情報機器７としては、例えばテレビジョン、パソコンをはじめとする各種情報端末などを想定している。この場合、画像情報機器７の本体７ｂは、前記室内壁面Ｗの他、ベッド装置２に搭載することができる。もちろん、前記本体７ｂはテーブル板６内に埋め込む構成とすることもできる。
【００１２】
前記モニター７ａには、液晶ディスプレイを用いることができ、適宜な起伏手段によりテーブル板６上面に起伏可能に装着している。また、モニター７ａとしては、各種情報を表示するほか、タッチパネルとして、ベッドの電動システムの操作や、ナースセンタへの連絡、あるいは室内の空調機の操作などを行う構成とすることもできる。
かかるモニター７ａと前記画像情報機器７の本体７ｂとは、ここでは詳細な説明は省略するが、例えばデジタル無線伝送システムを介して本体７ｂからモニター６ｂへ画像データを送る構成としている。
【００１３】
以上のように構成されるオーバーベッドテーブル１において、一対の脚部４と、これら脚部４にそれぞれ立設した支柱部５によって支えられたテーブル板６を、ベッド装置２の床部３上を跨いで配置する。
これによって使用者は、前記床部３上において、前記テーブル板６を、小物置き台として使用したり、食事台として、あるいは読書の際の書見台として使用することができる。
【００１４】
そして、テレビ番組を楽しむときは、テーブル板６の上面中央箇所における、格納状態にあるモニター７ａを起立させる。
また画像情報機器７がパソコンである場合は、前記起立したモニター７ａに各種情報を表示したり、インターネットを介して各種サイトから必要な情報を取り込んだり、ゲームに興じたりすることができる。
その際、テーブル板６におけるモニター７ａと室内壁面Ｗにおける本体７ｂとは、無線でデータのやり取りを行うことができる。
また前記画像情報機器７のモニター７ａの電源には、テーブル板６に配置した電池８を用いているので、ベッド装置２を壁面Ｗのコンセントから離れた位置に配置しても、このオーバーベッドテーブル１を用いることができる。
【００１５】
また前記モニター７ａをタッチパネルとして使用可能な機能の場合、ベッドの電動システムの操作や、ナースセンタへの連絡、あるいは室内の空調機の操作などを行うこともできる。
【００１６】
以上のように、前記画像情報機器７では、本体７ｂは室内壁面Ｗや、ベッド装置２に搭載して、テーブル板６におけるモニター７ａと、無線伝送でデータのやり取りを行う構成であるので、設置上の制約は少ない。
【００１７】
以上、本発明にかかるベッド用テーブル装置のうち、オーバーベッドテーブル１について、一つの実施態様を挙げ、説明したが、前記画像情報機器７における電源としては、ベッド装置２からの電力を無線で供給する非接触型電源装置９を用いることができる（図３参照）。
そこで、かかる非接触型電源装置９について概略的に説明する。
非接触型電源装置９としては、既知のものを用いることができ、詳細には説明しないが、ベッド装置２における床部３下に配設したコントローラ１０から、商用電源を受ける給電ユニット９ａと、この給電ユニット９ａと間隙板Ｓを介して対向配置するようにした受電ユニット９ｂとを備えている。すなわち、これら給電ユニット９ａおよび受電ユニット９ｂは、支柱部５における側壁面を間隙板Ｓとして、対向配置することができる。なお、この場合、支柱部５の素材としてはアルミ押し出し成形材のものを用いている。
また、テーブル板６底面の底板を間隙板Ｓとして、前記給電ユニット９ａおよび受電ユニット９ｂとを対向配置することもできる。
【００１８】
前記給電ユニット９ａおよび受電ユニット９ｂは、図示は省略するがコアにそれぞれ巻線を巻回して結合トランスとして構成し、前記コントローラ１０からの商用電源を、高い周波数の交番電流に変換したものを前記給電ユニット９ａ側に供給することで、電磁誘導により、非接触で受電ユニット９ｂ側に対応した電力を生起させるというものである。
そして前記受電ユニット９ｂ側に生起された電力は、所定の変換処理の後、テーブル板６におけるモニター７ａに供給する構成としている。
【００１９】
以上のような非接触型電源装置９を用いれば、ベッド装置２からの電力をうけるコードを配線する必要はなく、ベッド装置２側からオーバーベッドテーブル１側へ電力を供給することができる。
【００２０】
また、前記オーバーベッドテーブル１において、モニター７ａは、テーブル板６に着脱可能とすることもできる。また、支柱部５などでモニター７ａを固定するようにしてもよいなど取り付け方も適宜である。
【００２１】
さらに、本発明にかかるベッド用テーブル装置は、以下のようなベッド装置２の傍らに置いて使う、ベッドサイドテーブル１１としても実施することもできる（図５参照）。かかるベッドサイドテーブル１１では、脚部４の一端寄りに立設した支柱部５にテーブル板６の一端寄りを支持する構成とし、かかるテーブル板６の前記支柱部５で支えられた箇所の上面に、画像情報機器７におけるモニター７ａを配設する構成としている。
【００２２】
このようなベッドサイドテーブル１１においても、ベッドサイドテーブル１１本来の実質的な機能の他、テーブル板６におけるモニター７ａを介して、様々な画像情報、ゲームなどの提供を受けることができ、長期にわたるベッド生活に潤いを与えるものとなり得る。
【００２３】
【発明の効果】
本発明によれば、
（１）使用者は、ベッド用テーブル装置本来の実質的な機能の他、テーブル板におけるモニターを介して、様々な画像情報、ゲームなどの提供を受けることができる。
（２）重量の大きい画像情報機器における本体を、分離配置することで、ベッド用テーブル装置にかかる負担は軽減され、さらにアンテナ線などの配線も不要となる。
（３）病室などの壁面のコンセントから離れた位置に配置したベッド装置においても、このベッド用テーブル装置を用いることができ、ベッド用テーブル装置を移動する際の妨げとなることはない。
（４）ベッド装置の電力をうけるコードを配線する必要はない。
【００２４】
【図面の簡単な説明】
【図１】本発明にかかるベッド用テーブル装置のうちの一つである、オーバーベッドテーブルの外観斜視図である。
【図２】図１に示すオーバーベッドテーブルの側面図である。
【図３】本発明にかかるオーバーベッドテーブルの別の実施態様にかかる電力供給構成を示す、概略ブロック図である。
【図４】図３に示すオーバーベッドテーブルの電力供給構成を示した、構成ブロック図である。
【図５】本発明にかかるベッド用テーブル装置のうちの一つである、ベッドサイドテーブルの外観斜視図である。
【符号の説明】
１                          オーバーベッドテーブル
２                          ベット装置
３                          床部
４                          脚部
５                          支柱部
６                          テーブル板
７                          画像情報機器
７ａ                        モニター
７ｂ                        本体
８                          電池
９                          非接触型電源装置
９ａ                        給電ユニット
９ｂ                        受電ユニット
１０                        コントローラ
Ｗ                          室内壁面
Ｓ                          間隙板
１１                        ベッドサイドテーブル
【図１】
2004275417.tif 000003
【図２】
2004275417.tif 000004
【図３】
2004275417.tif 000005
【図４】
2004275417.tif 000006
【図５】
2004275417.tif 000007